(57)【特許請求の範囲】
【請求項１】
歩行型の走行機体に耕耘部を取付けて構成される歩行型耕耘機において、前記耕耘部の上方を覆う側面視円弧状の耕耘部カバーを、その円弧に沿って前後回動自在に構成し、該前後回動に基づいて耕耘部カバーの後端部高さを調節すると共に、耕耘部カバーを支持する耕耘部フレームをミッションケースに組付けるにあたり、前記耕耘部フレームを、ミッションケースに組付けられ、かつ耕耘部カバーが着脱自在に組付けられる前側フレームと、該前側フレームに着脱自在に組付けられる後側フレームとに分割形成されていて、前側フレームをミッションケース側に残した状態で後側フレーム、耕耘部カバーを前側フレームから着脱できるように構成したことを特徴とする歩行型耕耘機。
【発明の詳細な説明】
【０００１】
【発明の属する技術分野】
本発明は、歩行型の走行機体に耕耘部を取付けて構成される歩行型耕耘機の技術分野に属するものである。
【０００２】
【従来の技術】
一般に、この種歩行型耕耘機は、歩行型の走行機体に耕耘部を取付けると共に、該耕耘部の上方を側面視円弧状の耕耘部カバーで覆うべく構成されており、多くの場合は、耕耘部カバーの後端部に、加圧ロッドで下方に付勢される上下回動自在なリヤカバー（レベラ）を装着した状態で使用されている。
【０００３】
【発明が解決しようとする課題】
ところで、上記の様な歩行型耕耘機においては、耕耘部の後部にリヤカバー以外の作業機を装着して様々な作業に利用することが提案されているが、歩行型耕耘機の耕耘部にあっては、耕耘部カバーの後端部高さが低く設定されているため、リヤカバー以外の作業機を装着することが難しく、特に幅広な耕耘部カバーを備える歩行型表層耕耘機等の耕耘部においては、剛性を確保するために耕耘部カバーを半円筒状に形成しているため、耕耘部カバーの後端部高さが一層低くなり、作業機の装着がさらに困難になる不都合があった。
【０００４】
【課題を解決するための手段】
本発明は、上記の如き実情に鑑みこれらの課題を解決することを目的として創作されたものであって、歩行型の走行機体に耕耘部を取付けて構成される歩行型耕耘機において、前記耕耘部の上方を覆う側面視円弧状の耕耘部カバーを、その円弧に沿って前後回動自在に構成し、該前後回動に基づいて耕耘部カバーの後端部高さを調節すると共に、耕耘部カバーを支持する耕耘部フレームをミッションケースに組付けるにあたり、前記耕耘部フレームを、ミッションケースに組付けられ、かつ耕耘部カバーが着脱自在に組付けられる前側フレームと、該前側フレームに着脱自在に組付けられる後側フレームとに分割形成されていて、前側フレームをミッションケース側に残した状態で後側フレーム、耕耘部カバーを前側フレームから着脱できるように構成したことを特徴とする歩行型耕耘機である。つまり、耕耘部カバーの後端部高さを調節することができるため、リヤカバー以外の作業機を装着して歩行型耕耘機を様々な作業に利用することができ、しかも、耕耘部カバーの後端部高さ調節を、その円弧に沿う耕耘部カバーの前後回動に基づいて行うようにしたため、耕耘部カバーの取付孔を円弧状の長孔に形成する程度の容易な変更で実施できる許りでなく、耕耘部カバーの全体高さを変えずに後端部の高さを調節できる利点がある。そのうえ、一体型の耕耘部フレームをミッションケースに組付ける場合に比して組付性を向上させることができ、しかも、前側フレームをミッションケース側に残した状態で後側フレームや耕耘部カバーを着脱することができるため、メンテナンス性も向上させることができる。
【０００５】
【発明の実施の形態】
次に、本発明の実施の形態の一つを図面に基づいて説明する。図面において、１は歩行型表層耕耘機の走行機体であって、該走行機体１は、機体前部に搭載されるエンジン２、該エンジン２の動力を入力するミッションケース３、該ミッションケース３の上部から前方上方に延出するハンドルフレーム４等を備えて構成されると共に、機体後部には後述する表層耕耘部５が一体的に連結されている。
【０００６】
前記ミッションケース３は、ベルト伝動機構（図示せず）を介して入力したエンジン動力を変速し、該変速した動力を、左右に突出する走行駆動軸６ａを介して左右の走行車輪６に伝動するが、さらに本実施形態のミッションケース３は、耕耘部駆動ケースを兼ねるべく後方下方に延出すると共に、その延出部３ａは、左右方向を向く耕耘軸７を回転駆動自在に支持している。
【０００７】
前記表層耕耘部５は、耕耘軸７に複数装着される耕耘爪８、該耕耘爪８の先端軌跡上方を覆う耕耘部カバー９、該耕耘部カバー９の後端部に上下揺動自在に装着されるリヤカバー１０、前記耕耘部カバー９等を支持する耕耘部フレーム１１、該耕耘部フレーム１１に上下位置調整自在に装着される尾ソリ１２等を備えて構成されている。
【０００８】
１３は前記耕耘部フレーム１１の後端部に形成される作業機装着部であって、該作業機装着部１３は、例えばリヤカバー１０の加圧装置１４を装着する場合、該加圧装置１４のアジャスタロッド１５を上下摺動自在に支持すると共に、後方から螺入する固定ボルト１６の緊締により任意の高さで加圧装置１４を固定することが可能であるが、加圧装置１４に代えて培土器、溝浚器等の作業機を装着することにより、様々な作業を行うことができるようになっている。因みに、前記加圧装置１４は、アジャスタロッド１５の下端部に左右方向を向いて固着される加圧フレーム１７、該加圧フレーム１７の左右両端部に上下摺動自在に支持され、且つ下端部がリヤカバー１０に枢結される加圧ロッド１８、該加圧ロッド１８を下方に付勢する加圧スプリング１９等で構成されている。
【０００９】
２０は前記耕耘部カバー９の後端部内周面に垂下状に装着されるゴム板であって、該ゴム板２０は、耕耘部カバー９とリヤカバー１０との連結部に生じる間隙を塞ぐように作用する。つまり、従来のものでは、耕耘軸７の回転駆動に伴って耕耘爪８が圃場の表層を耕耘すると、耕耘土が前記連結部の隙間から外部に漏れてリヤカバー１０上に堆積する不都合があるが、本実施形態においては、前記ゴム板２０によって耕耘土の漏れを阻止しているため、上記不都合を解消することができるようになっている。
【００１０】
前記耕耘部カバー９は、通常の耕耘部に設けられるものに比して左右幅が広く設定されると共に、必要な剛性を確保すべく半円筒状に形成されている。また、２１、２２は耕耘部カバー９の上面に一体的に取付けられるブラケットであって、該ブラケット２１、２２は、前後方向および左右方向に所定間隔を存して計４個設けられており、そのうち、前側のブラケット２１は、耕耘部フレーム１１の前端側左右両側部に対し、左右方向を向くボルト２３を介して固定される一方、後側のブラケット２２は、耕耘部フレーム１１の後端側から左右に延出する横フレーム２４の両端部に対し、左右方向を向くボルト２５を介して固定されている。さらに、各ブラケット２１、２２に形成されるボルト貫通孔２１ａ、２２ａは、耕耘部カバー９の円弧に沿う長孔に形成されており、そのため、前記ボルト２３、２５を弛めた状態では、耕耘部カバー９がその円弧に沿って前後回動自在となり、ここで耕耘部カバー９を任意の位置で保持し、且つボルト２３、２５を緊締することにより、耕耘部カバー９の後端部高さを所定の範囲（Ｈ１〜Ｈ２）で任意に調整することができるようになっている。即ち、耕耘部カバー９の後端部高さ調整に基づき、耕耘部カバー９の後端部下方に、リヤカバー１０以外の作業機を装着するスペースを確保することができ、その結果、任意の作業機を装着して歩行型表層耕耘機を様々な作業に利用することが可能になる。
【００１１】
ところで、前記耕耘部フレーム１１は、ミッションケース３に組付けられる前側フレーム２６と、該前側フレーム２６に組付けられる後側フレーム２７とに分割形成されている。つまり、前側フレーム２６は、左右一対のプレート２６ａで形成されており、ミッションケース３の左右両側部に対してボルト２８を介して組み付けられるようになっている。一方、後側フレーム２７は、角パイプ材で形成されており、その前端部が前側フレーム２６の後端部に対してボルト２９を介して着脱自在に組み付けられるようになっている。そのため、一体型の耕耘部フレームをミッションケース３に組付ける場合に比して組付性を向上させることができ、しかも、前側フレーム２６をミッションケース３側に残した状態で後側フレーム２７や耕耘部カバー９を着脱することにより、メンテナンス性も向上させることができるようになっている。
【００１２】
叙述の如く構成されたものにおいて、歩行型の走行機体１に表層耕耘部５を取付けて構成されるものであるが、前記表層耕耘部５の上方を覆う側面視円弧状の耕耘部カバー９を、その円弧に沿って前後回動自在に構成し、該前後回動に基づいて耕耘部カバー９の後端部高さを調節するようにしたため、耕耘部カバー９の後端部下方に、リヤカバー１０以外の作業機を装着するスペースを確保することができ、その結果、任意の作業機を装着して走行機体１を様々な作業に利用することができる。しかも、耕耘部カバー９の後端部高さ調節は、その円弧に沿う耕耘部カバー９の前後回動に基づいて行われるため、耕耘部カバー９の取付孔（ボルト貫通孔２１ａ、２２ａ）を長孔に形成する程度の容易な変更で実施できる許りでなく、耕耘部カバー９の全体高さを変えずに後端部の高さを調節できる利点がある。
【００１３】
また、耕耘部カバー９を支持する耕耘部フレーム１１をミッションケース３に組付けるにあたり、前記耕耘部フレーム１１を、ミッションケース３に組付けられる前側フレーム２６と、該前側フレーム２６に組付けられる後側フレーム２７とに分割形成したため、一体型の耕耘部フレームをミッションケース３に組付ける場合に比して組付性を向上させることができ、しかも、前側フレーム２６をミッションケース３側に残した状態で後側フレーム２７や耕耘部カバー９を着脱することができるため、メンテナンス性も向上させることができる。
【図面の簡単な説明】
【図１】歩行型表層耕耘機の側面図である。
【図２】表層耕耘部の平面図である。
【図３】耕耘部カバーの後端部を下げた状態を示す同上側面図である。
【図４】耕耘部カバーの後端部を上げた状態を示す同上側面図である。
【符号の説明】
１      走行機体
３      ミッションケース
５      表層耕耘部
９      耕耘部カバー
１０    リヤカバー
１１    耕耘部フレーム
１３    作業機装着部
１４    加圧装置
２１    ブラケット
２１ａ  ボルト貫通孔
２２    ブラケット
２２ａ  ボルト貫通孔
２６    前側フレーム
２７    後側フレーム
【図１】
0004139059.tif 000002
【図２】
0004139059.tif 000003
【図３】
0004139059.tif 000004
【図４】
0004139059.tif 000005